(57)【要約】      （修正有）【課題】レザーカットにおいて、剃刀の刃先部分の稜線が頭髪のパネルの延伸方向に対してなす角度及び横断方向に対してなす角度が共に４５°にできる限り近い角度にて剃刀の刃体の刃先を頭髪のパネルに当接させることを可能とする頭髪用剃刀を提供する。【解決手段】頭髪用の剃刀の刃先の位置に、刃先部分の稜線に対して４０°〜５０°、望ましくは４３°〜４７°、さらに望ましくは４５°の角度をもって斜向する複数のガイド辺を有するガイド部もしくはガイド体を設けた頭髪用の剃刀あるいは刃体あるいは別構成のガイド体を提供する。【選択図】図１
2006262934.tif 000002
【特許請求の範囲】
【請求項１】
頭髪用として用いる剃刀において、刃体が格納されるホルダー部の刃体の刃先が突出される部位に、刃体の刃先部分の稜線に対して斜向する複数のガイド辺を有するガイド部が設けられていることを特徴とする頭髪用の剃刀。
【請求項２】
斜向する複数のガイド辺が、刃体の刃先部分の稜線に対して４０°〜５０°、望ましくは４３°〜４７°、さらに望ましくは４５°の角度を有していることを特徴とする請求項１に記載の頭髪用の剃刀。
【請求項３】
刃体の刃先部分の稜線が斜向する複数のガイド辺の各ガイド辺の２等分点に位置するように複数のガイド辺が設けられていることを特徴とする請求項１あるいは請求項２に記載の頭髪用の剃刀。
【請求項４】
刃体の刃先部分の稜線を含み且つ刃体の中心を通る平面に対して複数のガイド辺の各ガイド辺の外側面の先端部分のなす角度が１０°〜４０°の範囲内、望ましくは２０°〜３０°の範囲内であり、且つ各ガイド辺の外側面が外側に凸に湾曲されていることを特徴とする請求項１あるいは請求項２あるいは請求項３に記載の頭髪用の剃刀。
【請求項５】
頭髪用として用いる剃刀に用いられる刃体であって、刃体の刃先部分の稜線に対して斜向する複数のガイド辺を有するガイド体が設けられていることを特徴とする刃体。
【請求項６】
斜向する複数のガイド辺が、刃体の刃先部分の稜線に対して４０°〜５０°、望ましくは４３°〜４７°、さらに望ましくは４５°の角度を有していることを特徴とする請求項５に記載の刃体。
【請求項７】
刃体の刃先部分の稜線が斜向する複数のガイド辺の各ガイド辺の２等分点に位置するようにガイド体が設けられていることを特徴とする請求項５あるいは請求項６に記載の刃体。
【請求項８】
刃体の刃先部分の稜線を含み且つ刃体の中心を通る平面に対して複数のガイド辺の各ガイド辺の外側面の先端部分のなす角度が１０°〜４０°の範囲内、望ましくは２０°〜３０°の範囲内であり、且つ各ガイド辺の外側面が外側に凸に湾曲されていることを特徴とする請求項５あるいは請求項６あるいは請求項７に記載の刃体。
【請求項９】
頭髪用として用いる剃刀の刃体が格納されるホルダー部に覆設され、刃体の刃先部分の稜線に対して斜向する複数のガイド辺を有するガイド体。
【請求項１０】
斜向する複数のガイド辺が、刃体の刃先部分の稜線に対して４０°〜５０°、望ましくは４３°〜４７°、さらに望ましくは４５°の角度を有していることを特徴とする請求項９に記載のガイド体。
【請求項１１】
刃体の刃先部分の稜線が斜向する複数のガイド辺の各ガイド辺の２等分点に位置するように斜向する複数のガイド辺が設けられていることを特徴とする請求項９あるいは請求項１０に記載のガイド体。
【請求項１２】
刃体の刃先部分の稜線を含み且つ刃体の中心を通る平面に対して複数のガイド辺の各ガイド辺の外側面の先端部分のなす角度が１０°〜４０°の範囲内、望ましくは２０°〜３０°の範囲内であり、且つ各ガイド辺の外側面が外側に凸に湾曲されていることを特徴とする請求項９あるいは請求項１０あるいは請求項１１に記載のガイド体。
【発明の詳細な説明】
【技術分野】
【０００１】
本発明は、頭髪用の剃刀及び刃体及びガイド体に関するものであり、さらに詳しくは、美容調髪において、頭髪用の剃刀を用いて行う所謂レザーカットにおいて、頭髪束の延伸方向に対しても横断方向に対しても４５°に可能な限り近い角度をもって剃刀の刃体を当接させるために、頭髪用の剃刀の刃体が格納されるホルダー部の刃体の刃先が格納される部位に複数の斜向するガイド辺を有するガイド部を設けた頭髪用の剃刀、あるいは、刃体自体に複数の斜向するガイド辺を有するガイド体を設けた頭髪用の剃刀に用いる刃体、あるいは、頭髪用の剃刀のホルダー部に覆設する複数の斜向するガイド辺を有するガイド体に関するものである。
【背景技術】
【０００２】
従来、美容調髪においては、頭髪用のハサミを用いるシザーズカットが主流であったが、最近、頭髪用の剃刀の有する特有の効果が見直されるようになり、頭髪用の剃刀を用いた所謂レザーカットの技術を習得したいという希望が美容師や美容師を目指す人々の間で高まってきている。このあたりの事情は、本願出願人が先に出願した下記特許文献２に詳述されているとおりである。
【０００３】
しかるに、頭髪用の剃刀を用いるレザーカットにおいては、頭髪用のハサミを用いるシザーズカットとはかなり要領が異なり、特有の技術の習得が必要とされる。このあたりの事情を、図面を用いて説明すれば、次のとおりとなる。
【０００４】
頭髪用の剃刀を用いるレザーカットにおいては、図１２ａ、図１２ｂに示すように、美容師（手のみを図示）は、顧客Ｃの頭髪を左手（右ききの場合）の中指と人差指の間に挟みこんで引張し、板状の頭髪の束とする。これをパネルと呼称し、符号Ｐにて表す。また、この動作を、通常「パネルを取る」と呼んでいる。
【０００５】
顧客Ｃの頭髪からパネルＰを取るところまではシザーズカットもレザーカットも同じであるが、ここから先の工程が異なってくる。すなわち、シザーズカットにおいては、図１２ｂに示すように、美容師はパネルＰのβのラインにハサミ（図示せず）を当てて切断する。この際、ハサミの刃をパネルＰに当てる要領は、通常ハサミにて紙等を切断するときと略同様である。
【０００６】
しかるに、頭髪用の剃刀Ｒ１（図１２ａ参照）を用いるレザーカットにおいては、図１２ｂにおけるαのラインに剃刀Ｒ１を当接させて切断する。このように切断位置が異なる点についての詳細は下記特許文献２に詳述したが、この点は、本発明の要旨とは直接関係しないので、ここでは繰り返さない。
【０００７】
この際、ハサミを用いるのに慣れた人は、ハサミと同様の要領で剃刀Ｒ１をパネルＰに対して当接させ、切断しようとする。しかしながら、剃刀とハサミは切断の仕組みが異なり、ハサミは２本の刃で挟み切る道具であるのに対して剃刀は１本の刃にて切断する道具であるので、ハサミの要領で剃刀Ｒ１をパネルＰに当接させて切断しようとすると抵抗が大きく、うまくいかない。このあたりが、ハサミによるシザーズカットに慣れた人が剃刀によるレザーカットを難しく感じる大きな原因となっている。
【０００８】
では、レザーカットにおいては、剃刀の刃を、どのようにパネルＰに当接させると最も切断が容易であるかということを以下に図面を用いて説明する。図１３ａにおいて、剃刀Ｒ１の刃体Ｂ１の刃先Ｂ１１が形成する稜線Ｌ１に平行な直線をＬ２とし、パネルＰの頭髪の延伸方向を直線ｘ、頭髪の延伸方向に直角な水平方向を直線ｙとする。そして、直線Ｌ１、Ｌ２が直線ｘとなす角度をη１、直線Ｌ１、Ｌ２が直線ｙとなす角度をη２とする。直線Ｌ１、Ｌ２と直線ｘ、ｙの関係を簡潔に表現すれば、図１３ｂのようになる（なお、図１４ａ、図１４ｂも参照されたい）。このような角度で刃先Ｂ１１をパネルＰに当接させると同時にこの角度を保ちながら刃先Ｂ１１をパネルＰに矢印Ｘ方向（Ｌ１、Ｌ２に直交する方向。図１３ａ参照）に押圧して切断する。
【０００９】
この際、角度η１、角度η２が共に４５°となった場合に剃刀Ｒ１の切れ味が最も鋭く感じられることが、経験則から判明している。この経験則を理論的に説明するのは難しいが、例えば日本刀を用いての藁束の試し切りも、日本刀を必ず上記の角度にて藁束に当接させて切断するという事例からも、古来から刃物を用いて固体を切断する際の大原則として知られていたことは明らかである。なお、現代でも、板前の世界にて魚肉を刺身用に切断する際には、上記角度に近い角度をもって刺身包丁を魚肉に当接させて切断している。
【００１０】
上記の点、すなわち角度η１、角度η２が共に４５°となった場合に剃刀Ｒ１の切れ味が最も鋭く感じられることは美容調髪の業界では常識とされており、美容師は、頭髪用の剃刀を用いてレザーカットを行おうとする初心者には、必ずこの点を教授する。しかしながら、初心者にとっては、角度η１、角度η２を共に４５°に保ちつつパネルＰを切断するということが中々難しく、要領を覚えるまでかなりの時間を要する者も出てくるのが実情であった。
【００１１】
本願発明者は、各地の講習会において、このレザーカットを普及せしめんとして多くの講習希望者にレザーカットの要領を教授している際に、やはり上記の角度η１、角度η２を共に４５°に保つということがレザーカットの基本であり、この基本を正確に身に着けた人は頭髪用の剃刀を自らの意のままに操り、ハサミによるシザーズカットでは形成不可能であった髪型の形成に次々と挑んでゆくさまを目の当たりにし、この基本を誰でも簡単かつ正確に学べる方法はないものかと工夫を重ねた挙句、頭髪用の剃刀に、角度η１、角度η２を共に４５°に保ちやすいようなガイドを設けることの必要性に思い至ったものである。
【００１２】
なお、最近は、剃刀の刃に各種のガードが設けられている事例が数多く見受けられる。例えば下記特許文献１に開示された発明においても、図２１ａに見るように刃体ｂ１に櫛状のガードｇ１が設けられている。また、図２１ｂの刃体ｂ２に設けられたガードｇ２はごく一般的に用いられているガードの形態である。しかしながら、本発明におけるガイドは、外見上はこれらのガード類に類似しているように見受けられるかもしれないが（そして確かにガード作用も有するものであるが）、機能的にはこれらのガードとは全く異なった次元の作用、すなわちガイド作用を有するものであって、本発明の主眼はガード作用にではなくあくまでガイド作用にある。しかるに、上記のガード類は主眼がガード作用にあり、ガイド作用は全く念頭になく構成されたものであるので、上記のガード類は、本発明における特有の効果、すなわち、上記の角度η１、角度η２を共に４５°に保つというガイド作用による効果は、当然のことながら到底奏することはできないものである。
【特許文献１】特開２００３‐１１１９８５号公報
【特許文献２】特願２００５‐２８７９３号
【発明の開示】
【発明が解決しようとする課題】
【００１３】
上記より、本発明の課題を次のように設定した。
＜課題１＞
頭髪用の剃刀を用いる所謂レザーカットにおいて、該剃刀の刃体の刃先部分の稜線が頭髪のパネルの延伸方向に対してなす角度及び横断方向に対してなす角度が共に４５°にできる限り近い角度にて剃刀の刃体の刃先を頭髪のパネルに当接させることができるように、剃刀の刃体の刃先の位置にガイドを設ける。
＜課題２＞
上記ガイドは、頭髪用の剃刀の刃体を格納するホルダー部において、刃体の刃先が突出される部位に設けることができるので、そのような構成の頭髪用の剃刀を開発する。
＜課題３＞
上記ガイドは、頭髪用の剃刀の刃体自体に設けることができるので、そのような構成の刃体を開発する。
＜課題４＞
上記ガイドは、頭髪用の剃刀の刃体を格納するホルダー部からも刃体自体からも独立したガイド体とし、該ガイド体をホルダー部に固定するように設けることができるので、そのような構成のガイド体を開発する。
【課題を解決するための手段】
【００１４】
本発明は、上記課題を解決するためになされたものであって、下記の解決手段を提供するものである。
＜解決手段１＞
頭髪用として用いる剃刀において、刃体が格納されるホルダー部の刃体の刃先が突出される部位に、刃体の刃先部分の稜線に対して斜向する複数のガイド辺を有するガイド部が設けられていることを特徴とする頭髪用の剃刀。
＜解決手段２＞
斜向する複数のガイド辺が、刃体の刃先部分の稜線に対して４０°〜５０°、望ましくは４３°〜４７°、さらに望ましくは４５°の角度を有していることを特徴とする解決手段１に記載の頭髪用の剃刀。
＜解決手段３＞
刃体の刃先部分の稜線が斜向する複数のガイド辺の各ガイド辺の２等分点に位置するように複数のガイド辺が設けられていることを特徴とする解決手段１あるいは解決手段２に記載の頭髪用の剃刀。
＜解決手段４＞
刃体の刃先部分の稜線を含み且つ刃体の中心を通る平面に対して複数のガイド辺の各ガイド辺の外側面の先端部分のなす角度が１０°〜４０°の範囲内、望ましくは２０°〜３０°の範囲内であり、且つ各ガイド辺の外側面が外側に凸に湾曲されていることを特徴とする解決手段１あるいは解決手段２あるいは解決手段３に記載の頭髪用の剃刀。
＜解決手段５＞
頭髪用として用いる剃刀に用いられる刃体であって、刃体の刃先部分の稜線に対して斜向する複数のガイド辺を有するガイド体が設けられていることを特徴とする刃体。
＜解決手段６＞
斜向する複数のガイド辺が、刃体の刃先部分の稜線に対して４０°〜５０°、望ましくは４３°〜４７°、さらに望ましくは４５°の角度を有していることを特徴とする解決手段５に記載の刃体。
＜解決手段７＞
刃体の刃先部分の稜線が斜向する複数のガイド辺の各ガイド辺の２等分点に位置するようにガイド体が設けられていることを特徴とする解決手段５あるいは解決手段６に記載の刃体。
＜解決手段８＞
刃体の刃先部分の稜線を含み且つ刃体の中心を通る平面に対して複数のガイド辺の各ガイド辺の外側面の先端部分のなす角度が１０°〜４０°の範囲内、望ましくは２０°〜３０°の範囲内であり、且つ各ガイド辺の外側面が外側に凸に湾曲されていることを特徴とする解決手段５あるいは解決手段６あるいは解決手段７に記載の刃体。
＜解決手段９＞
頭髪用として用いる剃刀の刃体が格納されるホルダー部に覆設され、刃体の刃先部分の稜線に対して斜向する複数のガイド辺を有するガイド体。
＜解決手段１０＞
斜向する複数のガイド辺が、刃体の刃先部分の稜線に対して４０°〜５０°、望ましくは４３°〜４７°、さらに望ましくは４５°の角度を有していることを特徴とする解決手段９に記載のガイド体。
＜解決手段１１＞
刃体の刃先部分の稜線が斜向する複数のガイド辺の各ガイド辺の２等分点に位置するように斜向する複数のガイド辺が設けられていることを特徴とする解決手段９あるいは解決手段１０に記載のガイド体。
＜解決手段１２＞
刃体の刃先部分の稜線を含み且つ刃体の中心を通る平面に対して複数のガイド辺の各ガイド辺の外側面の先端部分のなす角度が１０°〜４０°の範囲内、望ましくは２０°〜３０°の範囲内であり、且つ各ガイド辺の外側面が外側に凸に湾曲されていることを特徴とする解決手段９あるいは解決手段１０あるいは解決手段１１に記載のガイド体。
【発明の効果】
【００１５】
本発明の解決手段１、解決手段５、解決手段９に記載の発明においては、頭髪用として用いる剃刀において、刃体の刃先部分の稜線に対して斜向する複数のガイド辺が設けられているので、所謂レザーカットにおいて、該剃刀の刃体の刃先部分の稜線が頭髪のパネルの延伸方向に対してなす角度及び横断方向に対してなす角度が共に４５°にできる限り近い角度にて剃刀の刃体の刃先を頭髪のパネルに当接させることが容易である。
【００１６】
さらにいうなら、剃刀の刃体の刃先部分の稜線が頭髪のパネルの延伸方向に対してなす角度及び横断方向に対してなす角度が共に４５°にできる限り近い角度にて剃刀の刃体を頭髪のパネルに当接させた場合には、斜向する複数のガイド辺が頭髪のパネルの延伸方向に略平行となるため、剃刀の使用者は剃刀が頭髪のパネル中に殆ど抵抗感なく沈下しつつ頭髪を切断していく感触を手に感じることができ、剃刀の当接する角度が正しいことがこの感触にてわかる。
【００１７】
しかるに、剃刀の刃体の刃先部分の稜線が頭髪のパネルの延伸方向に対してなす角度あるいは横断方向に対してなす角度が４５°から離れたものとなるに従い、斜向する複数のガイド辺が頭髪のパネルの延伸方向あるいは横断方向に対して一定の角度を有することとなり、剃刀の使用者は剃刀が頭髪のパネル中に殆ど抵抗感なく沈下していく感触を手に感じることができなくなってくるので（すなわち、剃刀が頭髪のパネルを押圧すること等による抵抗感を感じるようになるので）、剃刀の当接する角度が誤っていることを感触にて知ることができるものである。
【００１８】
本発明の解決手段２、解決手段６、解決手段１０の発明においては、斜向する複数のガイド辺が、刃体の刃先部分の稜線に対して４０°〜５０°、望ましくは４３°〜４７°、さらに望ましくは４５°の角度を有しているので、剃刀の刃体の刃先部分の稜線が頭髪のパネルの横断方向に対してなす角度が４５°に接近するほど剃刀の使用者は剃刀が頭髪のパネル中に殆ど抵抗感なく沈下しつつ頭髪を切断していく感触をより鮮明に手に感じることができ、剃刀の当接する角度をさらに精密に正しい角度とすることが可能である。
【００１９】
本発明の解決手段３、解決手段７、解決手段１１の発明においては、刃体の刃先部分の稜線が斜向する複数のガイド辺の各ガイド辺の２等分点に位置するように複数のガイド辺が設けられているので、剃刀の刃体の刃先部分の稜線が頭髪のパネルの横断方向に対してなす角度が４５°にて剃刀の刃体の刃先を頭髪のパネルに当接させた場合にのみ、刃先が最初に頭髪のパネルに当接した瞬間に同時にガイド辺の先端部が頭髪のパネルに当接し、該ガイド辺の先端部が頭髪のパネルの中に沈下していくので、最初の頭髪の切断の瞬間からガイド機能が作用を開始することとなり、使用者に極めてわかりやすい感触情報が齎されることとなる。
【００２０】
すなわち、刃物にて固体を切断する際には刃物の刃先が対象物の表面に当接する瞬間、つまり切断開始の瞬間が極めて重要であり、この瞬間に刃物の刃先と対象物の表面との角度が正しく保たれないと、後の切断はすべてうまくいかない。しかるに、初心者はこの切断開始の瞬間の角度を正確に決定することができないので、これが初心者の失敗の大きな原因である。
【００２１】
従って、本発明の解決手段３、解決手段７、解決手段１１の発明におけるように、当接する角度が正しい場合にのみ切断開始の瞬間にガイド機能が正しく作用し始めるように構成してあれば、初心者は、自分の剃刀の当接角度が正しいか否かを切断開始の瞬間に手の感覚で触知することができる。したがって、本発明の解決手段３、解決手段７、解決手段１１の発明における構成は、初心者に対して切断開始の瞬間という重要な時点における正しい当接角度を自ら知らしめるという点において、極めて重要な効果を齎すものである。
【００２２】
本発明の解決手段４、解決手段８、解決手段１２の発明においては、刃体の刃先部分の稜線を含み且つ刃体の中心を通る平面に対して複数のガイド辺の各ガイド辺の外側面の先端部分のなす角度が１０°〜４０°の範囲内、望ましくは２０°〜３０°の範囲内であり、且つ各ガイド辺の外側面が外側に凸に湾曲されているので、頭髪のパネルに沈下し始めたガイド辺の先端部分が頭髪を外側面に載上し、載上された頭髪はやや上方に持上げられた形で緊張すると同時に刃先にて切断される。これにより、パネルを構成する頭髪の切断が切れ目なく連続的に行われ、使用者は極めて円滑な連続的切断の感触を感じることができる。
【００２３】
上記の連続的切断の感触を感じることができるという効果は、剃刀の刃体の刃先部分の稜線が頭髪のパネルの延伸方向に対してなす角度が４５°に接近するほど顕著になるので、使用者は、この連続的切断の感触を確認することによって、自分の切断が正しい角度で行われているかどうかを手の感触による触知によって直接的に知ることができるのである。
【発明を実施するための最良の形態】
【００２４】
本発明を実施するための最良の形態を、以下に図面を参照しながら詳細に説明する。なお、以下に説明する実施例１は解決手段４に記載された発明の１実施例であり、実施例２は解決手段８に記載された発明の１実施例であり、実施例３は解決手段１２に記載された発明の１実施例である。
【実施例１】
【００２５】
＜実施例１の構成＞
図１ａ〜図１ｃには、実施例１の頭髪用剃刀Ｒ１を示す。図１ａは頭髪用の剃刀Ｒ１の右側面図であり、図１ｂは底面図であり、図１ｃは正面図である。頭髪用の剃刀Ｒ１は、刃体Ｂ１を格納するホルダー部１２と使用者が右手に把握する柄部１３が固着され、全体が一直線状に構成されている。また、ホルダー部１２の下部には鋸歯状のガイド部１１が刻設されている。
【００２６】
図２ａはホルダー部１２の拡大右側面図、図２ｂはホルダー部１２の拡大平面図、図２ｃはホルダー部１２の拡大底面図である。図２ａ〜図２ｃに明らかなように、ホルダー部１２の内部には刃体Ｂ１が格納され、刃体Ｂ１の刃先Ｂ１１がホルダー部１２の下部に露出している。ホルダー部１２の下端部分には、先述のように鋸歯状のガイド部１１が刻設されている。１１０、１１１、…は個々のガイドを示す。
【００２７】
図５ａ、図５ｂにガイド部１１の詳細を示す。ガイド部１１は、図５ａに示すように、右側面から見た形状が略３角形状の凹部である複数のガイド１１０、１１１、１１２、１１３、１１４、１１５、１１６…がホルダー部１２の下端部分に連続的に刻設され、ガイド部１１全体として鋸歯状に構成されている。なお、ガイド１１０は最も柄部１３に近いガイドである（図２ａ参照）。刃体Ｂ１の刃先Ｂ１１は、ガイド１１０、１１１、１１２、１１３、１１４、１１５、１１６…が刻設されている部分にて露出しているが、ホルダー部１２が右側面から見て略３角形状に下方に延伸されている部分にては掩蔽された状態にある。
【００２８】
図５ｂにガイド１１１の詳細を示す。ガイド１１１は、図５ｂに示すように、刃先Ｂ１１の稜線がなす直線Ｌ１０に対して斜向するガイド辺１１１ａ、直線Ｌ１０に直交するガイド辺１１１ｂ、ガイド辺１１１ｂの下端に構成される短い直線状の先端部１１１ｃより構成されている。ガイド辺１１１ａ、１１１ｂは図５ｂに示すように緩い曲線状を呈している。なお、他のガイドも全く同一の構成である。
【００２９】
今、図５ｂにて、ガイド辺１１１ａの方向を直線Ｌ１１にて表し、ガイド辺１１１ｂの方向を直線Ｌ１２にて表し、また、直線Ｌ１０とガイド辺１１１ａの交点ｐ１と、ガイド辺１１１ｂと先端部１１１ｃの交点ｐ２を結ぶ直線をＬ１３にて表すと、実施例１にては、直線Ｌ１０と直線Ｌ１１のなす角度θ１は４５°、直線Ｌ１０と直線Ｌ１２のなす角度θ２は９０°、直線Ｌ１０と直線Ｌ１３のなす角度θ３は４５°となっている。角度θ１は、４０°〜５０°の範囲の値とすることができるが、望ましくは４３°〜４７°、さらに望ましくは４５°とするのが良い。この数値限定の根拠については、作用の項にて詳述する。また、角度θ２は角度θ１ほど厳密な限定は受けないものの、９０°にできるだけ近いものであることが望ましい。
【００３０】
したがって、実施例１にては、直線Ｌ１１、Ｌ１２，Ｌ１３にて構成される３角形は直角２等辺三角形となり、直線Ｌ１０、Ｌ１１，Ｌ１２にて構成される３角形も直角２等辺三角形となり、直線Ｌ１０、Ｌ１２，Ｌ１３にて構成される３角形も直角２等辺三角形となる。また、距離Ｄ１１と距離Ｄ１２は等しくなる。すなわち、刃体Ｂ１（図５ａ参照）の刃先Ｂ１１の稜線を通る直線Ｌ１０は、ガイド辺１１１ａの２等分点を通過している。
【００３１】
次に、図３ａは図２ａのＡ−Ａ線拡大縦断面図であり、図３ｃは図２ａのＢ−Ｂ線拡大縦断面図である。図３ａ、図３ｃから明らかなように、ホルダー部１２は左側板１２１と右側板１２２から構成されており、いずれも外側面が上部は略直線状であるが下部は外側に凸の緩い曲線状で、下端部分がガイド部１１となっている。左側板１２１はガイド部１１の下端先端まで延伸されて断面形状が鋭角状の凸部を構成するが、右側板１２２は刃体Ｂ１の刃先Ｂ１１のやや下の部分を下端部とし、ここで左側板１２１と右側板１２２が当接して接合線１２３が形成されている。
【００３２】
左側板１２１の下端先端部の鋭角状凸部はホルダー部１２の中心を通る垂直面Ｌ１４（刃体Ｂ１の中心を通る垂直面）に対して左側面側にθ４、右側面側にθ５の角度を有しており（図３ａ）、実施例１にてはθ４とθ５はともに２５°である。θ４とθ５は１０°〜４０°の範囲の角度とすることができるが、２０°〜３０°の角度とするのが望ましい。この数値限定の詳細については、作用の項にて詳述する。
【００３３】
左側板１２１と右側板１２２は上部において隙間なく当接し、螺子ｂにて螺着されている（図３ｃ参照）。中間部にては左側板１２１と右側板１２２の間に刃体Ｂ１を格納するための空隙Ｓ１、Ｓ２、Ｓ３が形成されている。上部の空隙Ｓ１は正面形状が略長方形状で、刃体Ｂ１の上部を挟着するよう構成されている。中間部の空隙Ｓ２は正面形状が略腕状で、下部にて刃体Ｂ１の両側面に突設された正面形状が半円形状の凸部Ｂ１２、Ｂ１３を支持するように構成されている。下部の空隙Ｓ３は正面形状が略長方形状で、刃体Ｂ１の刃先Ｂ１１を含む下部を挟着するように構成されている。空隙Ｓ３の下端を構成する接合線１２３は刃先Ｂ１１のやや下に位置するように構成されており、これがために刃先Ｂ１１が接合線１２３に当接して刃先Ｂ１１を磨耗させるという現象が回避されている。
【００３４】
図３ｂは、図３ａの状態で刃体Ｂ１を除いた状態を示し、図３ｄは図３ｃの状態で刃体Ｂ１を除いた状態を示す。ホルダー部１２の左側板１２１と右側板１２２は、刃体Ｂ１が格納されていない状態にては、図３ｂ、図３ｄに示すように右側板１２２が内側に付勢されていて、右側板１２２の下端部内側が左側板１２１の内側の面１２１ｂの下端すなわち接合線１２３の左端に当接した状態にあり、これがために空隙Ｓ３は図３ａ、図３ｃの状態と比較すると狭小となっている（空隙Ｓ２も狭小となる）。すなわち、左側板の中間部１２１ａと右側板の中間部１２２ａは板バネの役割を果たし、左側板１２１の内側の面１２１ｂと右側板１２２の内側の面１２２ｂが刃体Ｂ１の下部を挟着することにより刃体Ｂ１の格納状態を安定的に保持するという構成となっているものである。
【００３５】
図４ａ〜図４ｃには実施例１の頭髪用の剃刀Ｒ１のホルダー部１２の先端部分の構成を示す。図４ａはホルダー部１２の先端部分の拡大左側面図であり、図４ｂは頭髪用の剃刀Ｒ１の拡大正面図であり、図４ｃはホルダー部１２の先端部分の拡大外観斜視図である。ホルダー部１２の先端部分の正面には湾曲状の凹部１２４が刻設されている。凹部１２４は、刃体Ｂ１をホルダー部１２内部に格納する際に、格納作業を便ならしむるための構成である。
【００３６】
すなわち、刃体Ｂ１のホルダー部１２内部への格納に際しては、ホルダー部１２の正面から空隙Ｓ１、Ｓ２、Ｓ３内部に刃体Ｂ１を押し込み挿入するものであり、刃体Ｂ１の圧力により左側板１２１の中間部から下部が外側に押圧され、空隙Ｓ３が拡大されて刃体Ｂ１が格納される。この際に、刃体Ｂ１の後端部Ｂ１４（図２ａ参照）が空隙Ｓ１、Ｓ２、Ｓ３に挿入されやすいように、一種のガイドとして凹部１２４を刻設するものである。なお、刃体Ｂ１の格納方法としては、これ以外にも、左側板１２１と右側板１２２を螺着している螺子ｂ、ｂ、を外し、あるいは緩めて空隙Ｓ１、Ｓ２、Ｓ３を拡大して格納することも可能である。
【００３７】
＜実施例１の作用＞
実施例１の頭髪用の剃刀Ｒ１は、図１２ａのような状態にて使用する。すなわち、美容師（手のみを図示）は、顧客Ｃの頭髪を左手（右ききの場合）の中指と人差指の間に挟みこんで引張し、パネルＰを形成する。次に、美容師は、図１２ｂに示すようにパネルＰのαのラインに剃刀Ｒ１の刃体Ｂ１の刃先Ｂ１１（図１３ａ参照）を当接させて切断するのであるが、この際に、図１３ａ、図１３ｂ、図１４ａ、図１４ｂに示すように、剃刀Ｒ１の刃体Ｂ１の刃先Ｂ１１が形成する稜線がつくる直線Ｌ１に平行な直線をＬ２とし、パネルＰの頭髪の延伸方向を直線ｘ、頭髪の延伸方向に直角な水平方向を直線ｙとした場合、直線Ｌ１、Ｌ２が直線ｘとなす角度η１、直線Ｌ１、Ｌ２が直線ｙとなす角度η２が共に４５°となるように剃刀Ｒ１の刃体Ｂ１の刃先Ｂ１１をパネルＰに当接させ、この角度を保ちながら刃先Ｂ１１をパネルＰに矢印Ｘ方向（Ｌ１、Ｌ２に直交する方向であり、頭髪の延伸方向に対しても横断方向に対しても４５°）に押圧して切断する。
【００３８】
この際に、ガイド部１１の果たす作用を以下に詳述する。図１５ａは、ガイド部１１の最も美容師（図示せず）の手元に近いガイド１１０に露出された刃先Ｂ１１０がパネルＰの右端の頭髪ｈ１に当接して切断が開始された状態をパネルＰの上方から俯瞰した説明図（図１３ａの部分拡大図に相当）であるが、この状態にて、刃先Ｂ１１０がパネルＰの右端の頭髪ｈ１を切断し始めると同時にガイド１１０のガイド辺１１０ｂの先端の先端部１１０ｃが頭髪ｈ１から１２本左の頭髪ｈ１３と１３本左の頭髪ｈ１４の間に挿入され始める。また、ガイド１１０のガイド辺１１０ａは、図５ｂのような構成であるために、パネルＰの右端にぴったりと沿った状態となる。なお、パネルＰを構成する頭髪ｈ１…は、実際には層状構造となるが、ここでは説明の便のために表層に並列される頭髪のみを表示した。
【００３９】
このような状態になるのは、図５ａ、図５ｂにて詳述したガイド部１１の構成から明らかなように、図１３ａ、図１３ｂにおいて角度η２が４５°になるように剃刀Ｒ１の刃体Ｂ１の刃先Ｂ１１をパネルＰに当接させた場合に限られる。この状態を拡大して示したのが図１５ｂであり、頭髪ｈ１の切断位置から水平に延伸された直線Ｌ１５の延長上で、ガイド辺１１０ｂの先端部１１０ｃが頭髪ｈ１３と頭髪ｈ１４の間に挿入され始めている状態を示している。また、ガイド辺１１０ａ、１１１ａがパネルＰの延伸方向に完全に平行となってガイド作用が働いている状態が明らかである。
【００４０】
さらに切断が進んだ状態を図１６に示す。図１６においては、頭髪ｈ１、ｈ２、ｈ３、ｈ４、ｈ５までは刃先Ｂ１１０により切断されていて、今まさに頭髪ｈ６が切断されんとしている。この状態で、先端部１１０ｃはパネルＰ内部にさらに深く挿入されるが、図３ａにて左側板１２１の下端右側面部分に該当する外側面１１０ｄに、図３ａに示すようにθ５（実施例１では２５°）の角度が付され、かつ外側面１１０ｄが外側に凸の湾曲形状であるので、先端部１１０ｃによって左方に分けられた頭髪ｈ１４、ｈ１５、ｈ１６は外側面１１０ｄ上に円滑に載上されて緊張状態がより強まり、ガイド１１０の隣のガイド１１１のガイド辺１１１ａにガイドされてガイド１１１に露出する刃先Ｂ１１１に当接し順番に切断されていく。図１６にては、頭髪ｈ１４の切断が開始された状態を示している。なお、この状態で、頭髪ｈ７〜ｈ１３は、外側面１１０ｄの反対側の外側面１１０ｅ（図３ａにて左側板１２１の下端左側面部分に該当）に押圧されて刃先Ｂ１１０による切断を待機している状態にある。
【００４１】
さらに切断が進んだ状態を図１７に示す。図１７に示す状態にては、頭髪ｈ１〜ｈ５に加えて頭髪ｈ６、ｈ７、ｈ８、ｈ９も刃先Ｂ１１０によって切断され、今まさに頭髪ｈ１０が切断されようとしている。一方、外側面１１０ｄに載上されていた頭髪ｈ１４、ｈ１５、ｈ１６は既に隣の刃先Ｂ１１１によって切断され、新たに頭髪ｈ１６、ｈ１７が載上されて頭髪ｈ１７がまさに刃先Ｂ１１１によって切断されんとしている。なお、頭髪ｈ１１、ｈ１２、ｈ１３は外側面１１０ｅに押圧された状態にて刃先Ｂ１１０によって切断されるのを待機している状態である。
【００４２】
そして、この状態でさらに注目されるのは、ガイド１１１のガイド辺１１１ｂの先端部１１１ｃが既にパネルＰに当接間近で、隣接するガイド１１２のガイド辺１１２ａが、先にガイド辺１１１ａが果たしたのと同様の作用を間もなく果たし始める状態にあるという点である。このようにして、ガイド１１０とガイド１１１の両者が共同して働き、さらにガイド１１０の作用が終了近くになると（ガイド１１０はあと４本の頭髪を切断すれば、パネルＰの表層にての作用を終える）、ガイド１１１の作用は依然継続した状態で次のガイド１１２の作用が開始されるということで、常に隣接する２つ乃至３つのガイドが共同して働きながら連鎖的に次のガイドに作用が移行し、このようにして全体は極めて円滑に切断工程が進められていくものである。
【００４３】
上記のように切断作用が次々と隣接するガイドに受け渡されて円滑に進行するのは、先にも述べたように図１３ａ、図１３ｂに示す角度η２が４５°に極めて近い場合に限られ、角度η２が４５°から離れるにしたがって切断作用の円滑さは急速に失われていく。その事情を図１８ａ〜図１９ｂによって説明すれば次のとおりである。
【００４４】
図１８ａは、角度η２が３０°となった状態を示す（この場合にても、押圧する方向Ｘは４５°であるとする）。まず、この場合、ガイド辺１１０ａ、ガイド辺１１１ａが図１５ａ〜図１７に示すようなガイド作用を全く果たしていないことが明白に読み取れる。さらに、この場合、刃先Ｂ１１０がパネルＰの右端の頭髪ｈ１に当接して切断を開始するかなり前に、先端部１１０ｃがパネルＰに当接してパネルＰ内部に沈下を始めるので、使用者の手には、最初の頭髪が切断される感触の以前に先端部１１０ｃが毛髪を押圧する際の反作用としての圧力を感じることとなる。この圧力は、角度η２が４５°に近づけば近づくほど減少し、角度η２が４５°から小になればなるほど増大するので、使用者は、手に感じる僅かな圧力の違いによって、角度η２がどれだけ４５°から離れているかをモニターすることが可能である。すなわち、ガイド１１０、１１１、…が図５ｂに示すような構成となっているが故に、このように４５°という角度を手に感ずる圧力の差異によって極めて正確に感じ取ることができるのである。この状態を拡大して示したのが図１８ｂで、頭髪ｈ１の切断位置から水平に延伸された直線Ｌ１６の延長上で、ガイド辺１１０ｂの先端部１１０ｃがすでにパネルＰ内部にかなり深く沈下して頭髪を左右に押圧している状態が明らかである。
【００４５】
次に、今度は角度η２が４５°より大きくなった場合を考える。図１９ａは角度η２が６０°となった場合を示すが（この場合にても、押圧する方向Ｘは４５°であるとする）、この場合にてもガイド辺１１０ａ、１１１ａが図１５ａ〜図１７に示すようなガイド作用を果たしていないことは明らかである。さらに、この場合には、最初の頭髪ｈ１が刃先Ｂ１１０に当接して切断が開始される前に、外側面１１０ｅがパネルＰの右端の複数の頭髪を押圧するので、やはり最初の頭髪ｈ１が切断される以前に、使用者の手は押圧される頭髪からの反作用による圧力を感じることとなる。
【００４６】
この事情を拡大して示したのが図１９ｂで、頭髪ｈ１の切断位置から水平に延伸された直線Ｌ１７より下方に頭髪ｈ１〜ｈ６が押圧されているのが明らかである。すなわち、使用者が最初に感じる感触は、外側面１１０ｅが頭髪ｈ１〜ｈ６を押圧するその反作用で、ある程度押圧が進んだ段階で頭髪ｈ１の緊張が高まるとはじめて頭髪ｈ１が刃先Ｂ１１０に当接し、その時点にてやっと切断の感触が手に伝わってくる。つまり、角度η２が４５°から大となる方向に離れていくに従い、押圧する頭髪の本数が増え、抵抗感が増し、切断の感触を得るのが遅れるので、使用者は抵抗感と切断の感触が伝わるタイミングで、角度η２がどれだけ４５°から離れているかが判断できるものである。
【００４７】
図２０ａには角度η２が４０°の場合を、図２０ｂには角度η２が５０°の場合を、図２０ｃには角度η２が４３°の場合を、図２０ｄには角度η２が４７°の場合を夫々図示した。図２０ａ（４０°）と図２０ｂ（５０°）の場合すなわち、角度η２が４５°±５°となった場合には、もう既にかなりの抵抗感が予想され、角度η２が４０°を下回ったり、あるいは５０°を上回ったりすると、どのような初心者であっても自分の入刃角度が４５°から大きく外れていることを十分に自覚することができる。さらに技術が進歩して、些細な感触も感じ取れるようになってくると、図２０ｃ（４３°）と図２０ｄ（４７°）の場合すなわち、角度η２が４５°±２°となった場合でも、自分の入刃角度が４５°から外れていることが充分に自覚できるようになってくる。そして、さらに技術が進歩すると、角度η２が４５°±２°の範囲に入っていても４５°から外れていればそのことが感触にて判断できるまでになる。
【００４８】
従って、実施例１の頭髪用の剃刀Ｒ１のガイド部１１は、図５ｂに示すような構成となっているが故に、技術の進歩に応じて、角度η２を限りなく４５°に近いものとしていくために極めて有効な作用を果たすものである。すなわち、初心者においては、まず角度η２を４５°±５°の範囲内に整え、さらに技術の進歩により角度η２を４５°±２°の範囲内に収め、さらに熟練者においても、角度η２を限りなく４５°に接近させていくための指針として、実施例１の頭髪用の剃刀Ｒ１のガイド部１１はどの段階の美容技術者においても大きく役立つものである。
【００４９】
したがって、図５ｂにおいては、角度θ１は４５°とするのが最も理想であるが、実際の製作上において数値限定の許容範囲を広げるとするならば、上記のような状況からして角度θ１はどのように小となっても４０°は下回らないこと、またどのように大となっても５０°は上回らないことが求められる。すなわち、角度θ１が４０°を下回ったり、５０°を上回ったりする製品は、すでにガイドとしての用はなさないものである。そしてさらに、精密なガイド作用が求められる場合には、角度θ１は４３°から４７°の範囲に入るものであることが要求される。そして、究極のガイド作用を有するものとしては、角度θ１が限りなく４５°に近い製品が求められるのである。
【００５０】
次に、図１３ａ、図１３ｂにおける角度η１に関するガイド部１１の作用について説明する。角度η１が４５°を下回ってくると、図１５ｂにおいて、先端部１１０ｃがパネルＰの内部に沈下する際に、頭髪ｈ１３と頭髪ｈ１４をうまく分けてパネルＰの内部に侵入することができなくなり、その表層で滑ってしまう。その理由は、図３ａにおいて、ガイド部１１に角度θ４（実施例１にては共に２５°）が付されていることと、外側面１１０ｅが外側に凸の湾曲形状に形成されていることによる。すなわち、角度η１が４５°を下回っても、角度η１が４５°に極めて近ければ、刃先Ｂ１１０が頭髪ｈ１を切断し始めると同時に先端部１１０ｃはパネルＰに当接するのであるが、入射角度である角度η１が浅くなることにより外側面１１０ｅにて頭髪ｈ７〜ｈ１３を押圧する力の反作用により外側面１１０ｅが頭髪ｈ７〜ｈ１３の上を滑って先端部１１０ｃが浮き上がってしまうからである。この作用は、角度η１が４５°を下回われば下回るほど大となるので、使用者はその感触によって角度η１がどれだけ４５°から離れているかをモニターすることが可能となる。
【００５１】
逆に、角度η１が４５°を上回ると、今度は、外側面１１０ｅが頭髪ｈ７〜ｈ１３を押圧する力が大きくなり、これもやはり使用者には抵抗感の増大として感じられる。実際には表層の頭髪の下に何層もの頭髪があるので、角度η１が４５°を上回れば上回るほど抵抗感は急速に増大し、それは使用者に手の感触としてモニターされる。したがって、使用者はその感触によって角度η１がどれだけ４５°から離れているかが感得されるのであるが、この際にもやはり図３ａにおいて、ガイド部１１に角度θ４（実施例１にては共に２５°）が付されていることと、外側面１１０ｅが外側に凸の湾曲形状に形成されていることがこの作用の発生に大きくかかわってくる。
【００５２】
すなわち、角度θ４が付され、且つ外側面１１０ｅが外側に凸の湾曲形状に形成されていることにより、外側面１１０ｅの先端に向かう程押圧する力は下向きに強く働く。これが何を意味するかと言えば、図１５ａにおいて、外側面１１０ｅの先端に近い頭髪程大きな圧力で押圧されるということである。したがって、外側面１１０ｅの先端は、いわば押圧力を増幅する増幅器としての作用を有していることとなり、角度η１のわずかの角度の変化を増幅して使用者の手に伝達する能力を有しているのである。
【００５３】
またさらに、角度θ５と外側面１１０ｄが湾曲されている意味は、次のとおりである。すなわち、図１６に見るように、外側面１１０ｄは頭髪ｈ１４、ｈ１５、ｈ１６を載上して刃先Ｂ１１１へ運搬する作用を有するが、この際、角度θ５と外側面１１０ｄが湾曲されている構成により、この載上及び運搬作用が極めて円滑に行われるのである。そして、この載上及び運搬作用は、角度η１が４５°に近づけば近づくほど円滑になり、角度η１が４５°から遠ざかれば遠ざかるほど抵抗感が増してくる。
【００５４】
したがって、実施例１の頭髪用の剃刀Ｒ１においては、ガイド部１１に角度θ４、θ５（実施例１にては共に２５°）が付されていることと、外側面１１０ｄ、１１０ｅが外側に凸の湾曲形状に形成されていることが極めて重要な要件になってくるが、そのうち、角度θ４、θ５については、さまざまな角度のものを製作して実際にパネルＰを切断してみた結果として、角度θ４、θ５は１０°〜４０°の範囲内であること、さらに望むべくは２０°〜３０°の範囲内にあることが求められることがわかってきた。
【００５５】
すなわち、角度θ４が１０°を下回ると、上級者でもガイド部１１がパネルＰ上を滑るのが判らなくなり、逆に角度θ５が４０°を上回ると、上級者でも抵抗感の増大をはっきり感じられなくなる。同様に、角度θ５が１０°を下回ったり４０°を上回ると、外側面１１０ｄが頭髪を載上運搬する作用が角度η１が４５°に近づけば近づくほど円滑になるという作用が上級者でもはっきり判らなくなる。これが、初心者用のものとしては、その角度限定はますます狭くなって、初心者では、角度θ４が２０°を下回ったり３０°を上回ると、ガイド部１１がパネルＰ上を滑るのが判らなくなったり抵抗感の増大をはっきり感じられなくなる。また、角度θ５が２０°を下回ったり３０°を上回ると、外側面１１０ｄが頭髪を載上運搬する作用が角度η１が４５°に近づけば近づくほど円滑になるという作用を判別しづらくなる。したがって、角度θ４、θ５は１０°〜４０°の範囲内であること、さらに望むべくは２０°〜３０°の範囲内にあることが求められるのである。
【００５６】
このように、実施例１の頭髪用の剃刀Ｒ１のガイド部１１の形状は、剃刀Ｒ１の刃体Ｂ１の刃先Ｂ１１が頭髪のパネルＰに当接する際の入射角度である角度η１、η２が理想的な角度である４５°からどれくらい外れているかを、感触によって使用者の手に伝達する一種の計測装置のような役割を果たすものであり、この計測伝達作用がガイド部１１の非常に重要な役割となるものである。したがって、誤認されてはならないのは、ガイド部１１の形状においては、頭髪のパネルを切断し易くするという作用にその主眼があるのではなく、あくまで刃先Ｂ１１の理想的な入刃角度をモニターするという点に主眼があるということである。
【００５７】
したがって、理論的にいうなら、刃先Ｂ１１の入刃角度である角度η１、η２をいかなる場合にても４５°にピタリと照準できる完成された技術の持ち主においては、ガイド部１１の必要性は低下する。しかしながら、実際の現場にては、高度な技術を有する上級者でも頭髪のパネルＰを様々な状況において切断することとなるので、角度η１、η２が４５°から外れてくる場合も多々生ずる。しかるに、実施例１におけるガイド部１１を有する剃刀Ｒ１用いることにより、角度η１、η２の４５°からのほんの僅かなズレでもモニターできるため、その都度刃先Ｂ１１の入刃角度を微調整しながら切断作業を進めていくことができる。この意味において、実施例１の頭髪用の剃刀Ｒ１のガイド部１１において、角度θ１が４５°に限りなく近く、また角度θ４、θ５が２０°〜３０°の範囲内に調整された頭髪用の剃刀Ｒ１は、高度な技術を有する上級者でも円滑なレザーカットを進めていく上において、極めて有効かつ重宝なものであると言える。なお、付言するなら、上級者にあっては角度θ４、θ５が１０°〜４０°の範囲内であればガイド作用を感得できるものであることは先述のとおりであるが、角度θ４、θ５がさらに２０°〜３０°の範囲内に入る製品であれば角度η１のズレをより精妙に感得し得るものである。
【００５８】
したがって、本発明の実施例１の頭髪用の剃刀Ｒ１は、これからレザーカットを学習しようという全くの初心者から高度な技術を身につけた熟練者に至るまで、さらなる技術の向上を支援してくれる極めて便利な道具として、その活用が期待されるものである。また、実施例１の頭髪用の剃刀Ｒ１においては、ホルダー部１２の下端部にガイド部１１が刻設されているので、刃体Ｂ１としては通常の形態のものを使用することができるのも大きな特徴である。
【実施例２】
【００５９】
＜実施例２の構成＞
図６ａには、本発明の実施例２の頭髪用の剃刀の刃体Ｂ２が、頭髪用の剃刀Ｒ２に格納されている状態を示す。また図６ｂは本発明の実施例２の頭髪用の剃刀の刃体Ｂ２の拡大外観斜視図である。頭髪用の剃刀Ｒ２は、図６ａに見るように刃体Ｂ２が格納されるホルダー部２２と使用者（図示せず）が手に把持する柄部２３が回動自在に連結構成されており、ホルダー部２２の先端部分に実施例２の刃体Ｂ２が格納される。この形式の頭髪用の剃刀Ｒ２の詳細な構成は前記特許文献２に「頭髪用の剃刀Ｒ１」としてホルダー部の先端の構成まで含めて詳述してあり、かつ剃刀Ｒ２の詳細な構成が本発明の要部となるものではないので、ここでは詳しくは述べないが、刃体Ｂ２はホルダー部２２の先端部分にバネ（図示せず）の作用によって安定的に固定保持されているものである。
【００６０】
刃体Ｂ２は図６ｂに見るように、略長方形状のボディＢ２２の下辺を鋭利な刃先Ｂ２１として形成したもので、刃先Ｂ２１部分を掩覆するように鋸歯状の凹凸を有するガイド体２１が固着されている。ガイド体２１の構成の詳細は図８ａ、図８ｂに見るとおりで、ガイド体２１は、図８ａに示すように、右側面から見た形状が略３角形状の凹部である複数のガイド２１０、２１１、２１２、２１３、２１４、２１５、２１６…が連続的に刻設され、刃体Ｂ２の下端部分の両側面に固着されている。刃体Ｂ２の刃先Ｂ２１は、ガイド２１０、２１１、２１２、２１３、２１４、２１５、２１６…が刻設されている部分にて露出しているが、ガイド体２１が右側面から見て略３角形状に下方に延伸されている部分にては掩蔽された状態にある。なお、刃体Ｂ２及びガイド体２１の左側面と右側面は左右対称の構成となっている。
【００６１】
図８ｂにガイド２１１の詳細を示す。ガイド２１１は、図８ｂに示すように、刃先Ｂ２１の稜線がなす直線Ｌ２０に対して斜向するガイド辺２１１ａ、直線Ｌ２０に直交するガイド辺２１１ｂ、ガイド辺２１１ｂの下端に構成される短い直線状の先端部２１１ｃ、ガイド辺２１１ａとガイド辺２１１ｂの上端を連結する短い直線状の上端部２１１ｄより構成されている。ガイド辺２１１ａ、２１１ｂは図８ｂに示すように緩い曲線状を呈している。なお、他のガイドも全く同一の構成である。
【００６２】
なお、この実施例２にては、実施例１のガイド１１１（図５ｂ参照）において相当する構成を見出せない上端部２１１ｄが実施例１のガイド１１１の構成に付加された形となっているが、上端部２１１ｄの作用は、ガイド体２１の強度的安定という点にある。すなわち、実施例１においては、ガイド部１１はホルダー部１２の下端部分として構成されているため（図２ａ参照）、実施例２における上端部２１１ｄに相当する構成を欠いても強度的安定は損なわれないが、実施例２においては、ガイド体２１が刃体Ｂ２から構成的に別部品として形成されて固着されるため、ガイド２１１の上端部が鋭角状であるとその部分が弱くなるので、上端部２１１ｄを設けたものである。したがって、ガイド体２１が刃体Ｂ２と一体として成形される場合には上端部２１１ｄは必要不可欠とはならない。なお、実施例１あるいは実施例３において、上端部２１１ｄに相当する構成を付加することも当然可能である。
【００６３】
今、ガイド辺２１１ａの方向を直線Ｌ２１にて表し、ガイド辺２１１ｂの方向を直線Ｌ２２にて表し、また、直線Ｌ２０とガイド辺２１１ａの交点ｐ３とガイド辺２１１ｂと先端部２１１ｃの交点ｐ４を結ぶ直線をＬ２３にて表すと、実施例２にては、直線Ｌ２０と直線Ｌ２１のなす角度θ６は４５°、直線Ｌ２０と直線Ｌ２２のなす角度θ７は９０°、直線Ｌ２０と直線Ｌ２３のなす角度θ８は４５°となっている。角度θ６は、４０°〜５０°の範囲の値とすることができるが、望ましくは４３°〜４７°、さらに望ましくは４５°とするのが良い。この数値限定の根拠については、実施例１において述べたとおりである。また、実施例１同様角度θ７は９０°に近ければ近いほど望ましい。
【００６４】
したがって、実施例２にては直線Ｌ２１、Ｌ２２，Ｌ２３にて構成される３角形は直角２等辺三角形となり、直線Ｌ２０、Ｌ２１，Ｌ２２にて構成される３角形も直角２等辺三角形となり、直線Ｌ２０、Ｌ２２，Ｌ２３にて構成される３角形も直角２等辺三角形となる。また、距離Ｄ２１と距離Ｄ２２は等しくなる。すなわち、刃体Ｂ２（図８ａ参照）の刃先Ｂ２１の稜線を通る直線Ｌ２０は、ガイド辺２１１ａの２等分点を通過している。
【００６５】
次に、図７ａは図６ｂのＣ−Ｃ線拡大断面図であり、図７ｂは図６ｂのＤ−Ｄ線拡大断面図である。図７ａ、図７ｂから明らかなように、ガイド体２１の両側面の上部は略直線状であるが下部は左側面、右側面共に外側に凸の緩い曲線状で、下端部分が鋭角状の凸部を構成する。この鋭角状の凸部は刃体２１の中心を通る垂直面Ｌ２４に対して左側面側にθ９、右側面側にθ１０の角度を有しており、実施例２にては角度θ９とθ１０はともに２３°である。角度θ９とθ１０は１０°〜４０°の範囲の角度とすることができるが、２０°〜３０°の角度とするのが望ましい。この数値限定の根拠については、実施例１にて詳述したとおりである。
【００６６】
なお、実施例１における角度θ４、θ５は共に２５°であったが（図３ａ参照）、実施例２における角度θ９、θ１０が角度θ４、θ５より２°小に構成されている理由は、実施例２においては刃体Ｂ２にガイド体２１を固着する構成であるので、ガイド体２１の厚さをできるだけ薄く構成したいという点によるものである。この場合、２°程度の差は、作用には殆ど影響を与えないものとみなされる。
【００６７】
＜実施例２の作用＞
実施例２の作用は実施例１の作用と略同一である。とくに、ガイド体２１のガイド作用については、実施例１のガイド部１１の作用と基本的に同じであるので、説明は省略する。ただ、実施例２においては、刃体Ｂ２にガイド体２１が固着されているので、刃体Ｂ２を格納する剃刀としては、通常の構成の頭髪用の剃刀Ｒ２を用いることができるのが大きな特徴である。すなわち、実施例１は、剃刀Ｒ１のホルダー部１２にガイド機能を持たせたため（図２ａ参照）、ホルダー部１２が特有の構成となったが、刃体Ｂ１は通常の刃体を用いることができた。しかるに、実施例２にては刃体Ｂ２にガイド体を固着させたので刃体Ｂ２が特有の構成となったが、そのかわりに剃刀Ｒ２は通常の構成のものを使用できる。したがって、刃体として通常のものを使用したい場合には実施例１を用い、剃刀として通常のものを使用した意場合には実施例２を用いるという使い分けが可能である。なお、刃体にも剃刀にも通常のものを使用し、しかもガイド作用を持たせたいという場合には、次の実施例３を用いる。
【実施例３】
【００６８】
＜実施例３の構成＞
図９ａには、本発明の実施例３のガイド体３１が、頭髪用の剃刀Ｒ３のホルダー部３２の先端部分、つまり刃体Ｂ３を格納している部分を掩覆している状態を示す。また図９ｂは図９ａのガイド体３１の拡大図であり、ガイド体３１を摺動させてホルダー部３２から半ば脱抜させた状態を示すものである。さらに、図９ｃはガイド体３１のみを、左側面側から見た外観を示している。
【００６９】
頭髪用の剃刀Ｒ３は、図９ａに見るように刃体Ｂ３が格納されるホルダー部３２と使用者（図示せず）が手に把持する柄部３３が回動自在に連結構成されており、ホルダー部３２の先端部分に刃体Ｂ３が格納されている。刃体Ｂ３は通常の刃体で、下辺が刃先Ｂ３１として構成されている。なお、刃体Ｂ３の格納方法は、図１０ａ、図１０ｂに見るように、板バネとして作用するホルダー部３２の左右両側面にて刃先Ｂ３１を挟着固定する方式である。
【００７０】
ガイド体３１の構成の詳細は図９ｂ、図９ｃに見るとおりで、左側板３１ａ、右側板３１ｂ、頂板３１ｃが一体として正面から見た形状が門構え状に構成されており、左側板３１ａと右側板３１ｂの下端部分には鋸歯状の凹凸が刻設されている。また、ガイド体３１の上部には、左側板３１ａの上部から頂板３１ｃ、右側板３１ｂの上部にかけて複数のスリットｓｔ、ｓｔ…が穿設されているが、このスリットｓｔ、ｓｔ…はガイド体３１を手に把持して摺動させる際の滑り止めである。
【００７１】
なお、ガイド体３１は左側板３１ａと右側板３１ｂが頂板３１ｃにて連結されて全体が板バネのような機能を有し、図９ｃのようにホルダー部３２に嵌着されていない状態では左側板３１ａと右側板３１ｂが共に内側に付勢されている。したがって、ガイド体３１を図９ａのようにホルダー部３２を掩覆する状態とするには、左側板３１ａと右側板３１ｂを外側にやや広げ気味にしてガイド体３１の後端部をホルダー部３２の正面に嵌着させ、スリットｓｔ、ｓｔ…の穿設された部分を把持してガイド体３１を後方に摺動させて図９ａに示す位置にまで押し込む。ガイド体３１をホルダー部３２から脱抜する際はこの逆の工程となる。
【００７２】
ガイド体３１の下辺には、図１１ａに示すように、右側面から見た形状が略３角形状の凹部である複数のガイド３１０、３１１、３１２、３１３、３１４、３１５、３１６…が連続的に刻設されている。刃体Ｂ３の刃先Ｂ３１は、ガイド３１０、３１１、３１２、３１３、３１４、３１５、３１６…が刻設されている部分にて露出しているが、ガイド体３１が右側面から見て略３角形状に下方に延伸されている部分にては掩蔽された状態にある。なお、図１１ａは、ガイド体３１がホルダー部３２を掩覆した状態で示している。
【００７３】
図１１ｂにガイド３１１の詳細を示す。ガイド３１１は、図１１ｂに示すように、刃先Ｂ３１の稜線がなす直線Ｌ３０に対して斜向するガイド辺３１１ａ、直線Ｌ３０に直交するガイド辺３１１ｂ、ガイド辺３１１ｂの下端に構成される短い直線状の先端部３１１ｃより構成されている。ガイド辺３１１ａ、３１１ｂは図１１ｂに示すように緩い曲線状を呈している。なお、他のガイドも全く同一の構成である。
【００７４】
今、ガイド辺３１１ａの方向を直線Ｌ３１にて表し、ガイド辺３１１ｂの方向を直線Ｌ３２にて表し、また、直線Ｌ３０とガイド辺３１１ａの交点ｐ５とガイド辺３１１ｂと先端部３１１ｃの交点ｐ６を結ぶ直線をＬ３３にて表すと、実施例３にては、直線Ｌ３０と直線Ｌ３１のなす角度θ１１は４５°、直線Ｌ３０と直線Ｌ３２のなす角度θ１２は９０°、直線Ｌ３０と直線Ｌ３３のなす角度θ１３は４５°となっている。角度θ１１は、４０°〜５０°の範囲の値とすることができるが、望ましくは４３°〜４７°、さらに望ましくは４５°とするのが良い。この数値限定の根拠については、実施例１において述べたとおりである。また、角度θ１２は、実施例１，２同様９０°に近ければ近いほど望ましい。
【００７５】
したがって、実施例３にて直線Ｌ３１、Ｌ３２，Ｌ３３にて構成される３角形は直角２等辺三角形となり、直線Ｌ３０、Ｌ３１，Ｌ３２にて構成される３角形も直角２等辺三角形となり、直線Ｌ３０、Ｌ３２，Ｌ３３にて構成される３角形も直角２等辺三角形となる。また、距離Ｄ３１と距離Ｄ３２は等しくなる。すなわち、刃体Ｂ３（図１１ａ参照）の刃先Ｂ３１の稜線を通る直線Ｌ３０は、ガイド辺３１１ａの２等分点を通過している。
【００７６】
次に、図１０ａは図９ｂのＥ−Ｅ線拡大断面図であり、図１０ｂは図９ｂのＦ−Ｆ線拡大断面図である。図１０ａ、図１０ｂから明らかなように、ガイド体３１の左側面３１ａと右側面３１ｂの上部は略直線状であるが下部は外側に凸の緩い曲線状で、下端部分が刃体３１の中心を通る垂直面Ｌ３４に対して夫々θ１４、θ１５の角度を有しており、実施例３にては角度θ１４、θ１５は２５°である。角度θ１４、θ１５は１０°〜４０°の範囲の角度とすることができるが、２０°〜３０°の角度とするのが望ましい。この数値限定の根拠についても、実施例１にて詳述したとおりである。
【００７７】
＜実施例３の作用＞
実施例３の作用は実施例１の作用と略同一である。とくに、ガイド体３１のガイド作用については、実施例１のガイド部１１の作用と基本的に同じであるので、説明は省略する。ただ、実施例３においては、ガイド体３１が刃体Ｂ３からもホルダー部３２からも独立した構成として設けられているので、刃体Ｂ３を格納する剃刀としては、通常の構成の頭髪用の剃刀Ｒ３を用いることができ、且つ刃体Ｂ３も通常の刃体を用いることができるのが大きな特徴である。
【００７８】
すなわち、実施例１は、剃刀Ｒ１のホルダー部１２にガイド機能を持たせたため（図２ａ参照）、ホルダー部１２が特有の構成となった。また、実施例２は刃体Ｂ２にガイド体２１を固着させた（図６ｂ参照）ので刃体Ｂ２が特有の構成となった。しかるに、実施例３にてはガイド体３１を刃体Ｂ３からもホルダー部３２からも独立させて、しかもホルダー部３２に嵌脱自在としているので、頭髪用の剃刀Ｒ３も刃体Ｂ３も通常のもので良いばかりか、ガイド体３１を使用したくない場合にはガイド体３１をホルダー部３２から脱抜して、剃刀Ｒ３を完全に通常の頭髪用の剃刀として用いることができる。さらには、頭髪用の剃刀の各種形態に合わせてガイド体３１の構成を適宜変化させていくことにより、どのような種類の頭髪用の剃刀に対してもガイド機能を付与することが可能である。この点が、実施例３の頭髪用の剃刀の大きな特徴である。
【産業上の利用可能性】
【００７９】
本発明の頭髪用の剃刀及び刃体及びガイド体は、美容調髪業界に於いて初心者から上級技術者まで、使用者の有する技術に応じてガイド機能が極めて有効に働くので、どの段階の技術者に於いてもさらなる技術の向上を目指す上で洵に有益な効果を齎すものである。とくに昨今とみに高まりつつあるレザーカット技術の正確で迅速な習得にあたっては、従来考えられなかった多大な効用を齎すものであり、美容調髪業界に於けるレザーカット技術の向上を目指す多くの技術者に歓迎重用されるものであると確信する。
【図面の簡単な説明】
【００８０】
【図１】（ａ）本発明の実施例１の頭髪用の剃刀の右側面図である。（ｂ）本発明の実施例１の頭髪用の剃刀の底面図である。（ｃ）本発明の実施例１の頭髪用の剃刀の正面図である。
【図２】（ａ）本発明の実施例１の頭髪用の剃刀のホルダー部の右側面図である。（ｂ）本発明の実施例１の頭髪用の剃刀のホルダー部の平面図である。（ｃ）本発明の実施例１の頭髪用の剃刀のホルダー部の底面図である。
【図３】（ａ）図２ａのＡ−Ａ線拡大縦断面図である。    （ｂ）図３ａから刃体を除いた縦断面図である。    （ｃ）図２ａのＢ−Ｂ線拡大縦断面図である。    （ｄ）図３ｃから刃体を除いた縦断面図である。
【図４】（ａ）本発明の実施例１の頭髪用の剃刀のホルダー部の先端部分の拡大左側面図である。    （ｂ）本発明の実施例１の頭髪用の剃刀の拡大正面図である。    （ｃ）本発明の実施例１の頭髪用の剃刀のホルダー部の先端部分の拡大外観斜視図である。
【図５】（ａ）本発明の実施例１の頭髪用の剃刀のホルダー部の要部の拡大右側面図である。    （ｂ）図５ａのガイド部の一部の拡大右側面図である。
【図６】（ａ）本発明の実施例２の刃体を格納した頭髪用の剃刀の外観斜視図である。    （ｂ）本発明の実施例２の刃体の外観斜視図である。
【図７】（ａ）図６ａのＣ−Ｃ線拡大縦断面図である。    （ｂ）図６ａのＤ−Ｄ線拡大縦断面図である。
【図８】（ａ）本発明の実施例２の刃体を格納した頭髪用の剃刀のホルダー部の要部の拡大右側面図である。    （ｂ）図８ａのガイド体の一部の拡大右側面図である。
【図９】（ａ）本発明の実施例３のガイド体を嵌着した状態の頭髪用の剃刀の外観斜視図である。    （ｂ）本発明の実施例３のガイド体を摺動させた状態の頭髪用の剃刀のホルダー部の先端部分の拡大外観斜視図である。    （ｃ）本発明の実施例３のガイド体の拡大外観斜視図である。
【図１０】（ａ）図９ｂのＥ−Ｅ線拡大縦断面図である。    （ｂ）図９ｂのＦ−Ｆ線拡大縦断面図である。
【図１１】（ａ）本発明の実施例３のガイド体を嵌着した状態の頭髪用の剃刀のホルダー部の要部の拡大右側面図である。    （ｂ）図１１ａのガイド体の一部の拡大右側面図である。
【図１２】（ａ）本発明の作用を説明するための説明図である。    （ｂ）本発明の作用を説明するための説明図である。
【図１３】（ａ）本発明の作用を説明するための説明図である。    （ｂ）本発明の作用を説明するための説明図である。
【図１４】（ａ）本発明の作用を説明するための説明図である。    （ｂ）本発明の作用を説明するための説明図である。
【図１５】（ａ）本発明の作用を説明するための説明図である。    （ｂ）図１５ａの要部の拡大図である。
【図１６】本発明の作用を説明するための説明図である。
【図１７】本発明の作用を説明するための説明図である。
【図１８】（ａ）本発明の作用を説明するための説明図である。    （ｂ）図１８ａの要部の拡大図である。
【図１９】（ａ）本発明の作用を説明するための説明図である。    （ｂ）図１９ａの要部の拡大図である。
【図２０】（ａ）本発明の作用を説明するための説明図である。    （ｂ）本発明の作用を説明するための説明図である。    （ｃ）本発明の作用を説明するための説明図である。    （ｄ）本発明の作用を説明するための説明図である。
【図２１】（ａ）従来の刃体におけるガードの作用を説明するための説明図である。    （ｂ）従来の刃体におけるガードの作用を説明するための説明図である。
【符号の説明】
【００８１】
１１    ガイド部
１１０  ガイド
１１０ａ  ガイド辺
１１０ｂ  ガイド辺
１１０ｃ  先端部
１１０ｄ  外側面
１１０ｅ  外側面
１１１  ガイド
１１１ａ  ガイド辺
１１１ｂ  ガイド辺
１１１ｃ  先端部
１１２  ガイド
１１２ａ  ガイド辺
１１３  ガイド
１１４  ガイド
１１５  ガイド
１１６  ガイド
１２    ホルダー部
１２１  左側板
１２１ａ  中間部
１２１ｂ  面
１２２  右側板
１２２ａ  中間部
１２２ｂ  面
１２３  接合線
１２４  凹部
１３    柄部
２１    ガイド体
２１０  ガイド
２１１  ガイド
２１１ａ  ガイド辺
２１１ｂ  ガイド辺
２１１ｃ  先端部
２１１ｄ  上端部
２１３  ガイド
２１４  ガイド
２１５  ガイド
２１６  ガイド
２２    ホルダー部
２３    柄部
３１    ガイド体
３１ａ  左側板
３１ｂ  右側板
３１ｃ  頂部
３１０  ガイド
３１１  ガイド
３１１ａ  ガイド辺
３１１ｂ  ガイド辺
３１１ｃ  先端部
３１２  ガイド
３１３  ガイド
３１４  ガイド
３１５  ガイド
３１６  ガイド
３２    ホルダー部
３３    柄部
Ｂ１    刃体
Ｂ１１  刃先
Ｂ１１０  刃先
Ｂ１１１  刃先
Ｂ１１２  刃先
Ｂ１２  凸部
Ｂ１３  凸部
Ｂ１４  後端部
Ｂ２    刃体
Ｂ２１  刃先
Ｂ２２  ボディ
Ｂ３    刃体
Ｂ３１  刃先
Ｃ      顧客
Ｄ１１  距離
Ｄ１２  距離
Ｄ２１  距離
Ｄ２２  距離
Ｄ３１  距離
Ｄ３２  距離
Ｌ１    直線
Ｌ１０  直線
Ｌ１１  直線
Ｌ１２  直線
Ｌ１３  直線
Ｌ１４  垂直面
Ｌ１５  直線
Ｌ１６  直線
Ｌ１７  直線
Ｌ２    直線
Ｌ２０  直線
Ｌ２１  直線
Ｌ２２  直線
Ｌ２３  直線
Ｌ２４  垂直面
Ｌ３０  直線
Ｌ３１  直線
Ｌ３２  直線
Ｌ３３  直線
Ｌ３４  垂直面
Ｐ      パネル
Ｒ１    剃刀
Ｒ２    剃刀
Ｒ３    剃刀
Ｓ１    空隙
Ｓ２    空隙
Ｓ３    空隙
Ｘ      方向
ｂ      螺子
ｂ１    刃体
ｂ２    刃体
ｇ１    ガード
ｇ２    ガード
ｈ１    頭髪
ｈ２    頭髪
ｈ３    頭髪
ｈ４    頭髪
ｈ５    頭髪
ｈ６    頭髪
ｈ７    頭髪
ｈ８    頭髪
ｈ９    頭髪
ｈ１０  頭髪
ｈ１１  頭髪
ｈ１２  頭髪
ｈ１３  頭髪
ｈ１４  頭髪
ｈ１５  頭髪
ｈ１６  頭髪
ｈ１７  頭髪
ｐ１    交点
ｐ２    交点
ｐ３    交点
ｐ４    交点
ｐ５    交点
ｐ６    交点
ｓｔ    スリット
ｘ      直線
ｙ      直線
α      ライン
β      ライン
θ１    角度
θ２    角度
θ３    角度
θ４    角度
θ５    角度
θ６    角度
θ７    角度
θ８    角度
θ９    角度
θ１０  角度
θ１１  角度
θ１２  角度
θ１３  角度
θ１４  角度
θ１５  角度
η１    角度
η２    角度
【図１】
2006262934.tif 000003
【図２】
2006262934.tif 000004
【図３】
2006262934.tif 000005
【図４】
2006262934.tif 000006
【図５】
2006262934.tif 000007
【図６】
2006262934.tif 000008
【図７】
2006262934.tif 000009
【図８】
2006262934.tif 000010
【図９】
2006262934.tif 000011
【図１０】
2006262934.tif 000012
【図１１】
2006262934.tif 000013
【図１２】
2006262934.tif 000014
【図１３】
2006262934.tif 000015
【図１４】
2006262934.tif 000016
【図１５】
2006262934.tif 000017
【図１６】
2006262934.tif 000018
【図１７】
2006262934.tif 000019
【図１８】
2006262934.tif 000020
【図１９】
2006262934.tif 000021
【図２０】
2006262934.tif 000022
【図２１】
2006262934.tif 000023